(57)【要約】【課題】  被読取物の情報、被読取物の有無および外形位置を瞬時に正確、かつ、効率的に自動読取開始できる読取装置を提供する。【解決手段】  画像読取装置10と、読み取った情報を処理するとともに画像読取装置10を制御する画像データ処理装置とを備え、画像読取装置10が、架台1に設置されて被読取物20を載置するガラス受台４と、当てガイド２と、この当てガイド２に備えられた検出用LED６と、被読取物20に光線を照射する照明装置と、被読取物20の画像情報を読み取るデジタルカメラ12とを有しており、検出用LED６の光線がガラス受台を照射する定位置と、被読取物を透過し読み取られた画像の輝度とに基づいて、被読取物20が正規位置に置かれたことを検出し、この検出をトリガーとして画像読取装置10が画像データを自動的に読取開始をし、画像データ処理装置が画像および文字を認識処理する。【選択図】    図１
2006146328.tif 000002
【特許請求の範囲】
【請求項１】
画像読取装置と、この画像読取装置が読み取った情報を処理するとともに当該画像読取装置を制御する画像データ処理装置とを備え、
上記画像読取装置が、架台に設置されて被読取物を載置する載置台と、この載置台に配設され被読取物を案内して位置決めをするガイドと、このガイドに備えられた発光装置と、上記載置台に載置された上記被読取物に光線を照射する照明装置と、上記被読取物の情報を読み取る撮像装置とを有しており、
上記発光装置の発する光線が上記載置台を照射する定位置と、この光線が上記被読取物を透過し読み取られた画像の輝度とに基づいて、上記被読取物が正規位置に置かれたことを検出し、この検出をトリガーとして上記画像読取装置が自動的に読取開始をすることを特徴とする読取装置。
【請求項２】
前記ガイドが、略Ｌ字型ガイドであって、このＬ字の一辺の側部に沿って配設された複数の前記発光装置およびＬ字の隣合う二辺の各辺の側部に配設された少なくとも一個の前記発光装置のいずれかを有していることを特徴とする請求項１記載の読取装置。
【請求項３】
前記ガイドが、前記載置台から着脱可能であり、かつ、前記載置台の各対角位置に設置可能であることを特徴とする請求項１記載の読取装置。
【請求項４】
前記ガイドの載置台側の側部が、テーパ状になっていることを特徴とする請求項１記載の読取装置。
【請求項５】
前記照明装置が前記検出後、前記読取開始前に、可視光線および赤外線のいずれかで自動的に照明開始することを特徴とする請求項１記載の読取装置。
【請求項６】
前記撮像装置が、デジタルカメラ、ラインカメラ、エリアカメラおよびビデオカメラのいずれかであることを特徴とする請求項１記載の読取装置。
【請求項７】
前記撮像装置が、角度調整および位置調整のいずれか、あるいは両方を調整する取付板に取り付けられていることを特徴とする請求項１記載の読取装置。
【請求項８】
前記被読取物の光学的情報を持つ照射光が、一個の鏡および複数の鏡のいずれかにより前記撮像装置に集光されていることを特徴とする請求項１記載の読取装置。
【請求項９】
前記架台が凹部を有しており、この凹部の傾斜を利用して、前記撮像装置に集光する鏡が傾斜して備えられていることを特徴とする請求項１または８記載の読取装置。
【請求項１０】
前記被読取物が旅券であることを特徴とする請求項１記載の読取装置。
【発明の詳細な説明】
【技術分野】
【０００１】
本発明は、被読取物の情報、特に文字および画像の情報と、被読取物の有無および外形位置を正確、かつ、効率的に検出し、次いで読取開始して画像および文字を認識する読取装置に関する。
【背景技術】
【０００２】
従来の読取装置は、旅券等の被読取物をカメラやスキャナで画像データとして読み込み、文字認識するようになっている。
【０００３】
この種の読取装置として以下の提案がある。
特許文献１記載の旅券記載文字読取システムでは、文字認識装置と端末装置と中央装置とを通信回線等により接続している。
文字認識装置は、撮像開始信号発生部と、撮像部と、文字ブロック切出部と、文字認識部と、伝送制御部とを備え、旅券に記載されている所定の文字情報を自動的に読み取る。中央装置は、旅券情報の格納およびあらかじめ格納されている情報とを照合判定し、結果を端末装置へ出力するようになっている。
【０００４】
また、特許文献２記載の検証器では、旅券が検証器のリーダユニットの挿入溝部の透明ガラス面上に搭載され、その一端側が押圧手段により押圧されて所定位置にセットされ、カメラが画像を撮像し、CCDスキャナが文字を読み取る。これらのデータはコントロールユニットの画像解析部や文字認識部により解析および認識され良否の判断が行われ、表示および警告が行われるようになっている。
【０００５】
さらに、特許文献３記載の光学式文字読取装置では、読み取り対象被読取物の読み取り面の反対側から光を照射する赤外線バックフラッシュと、読み取りの指示があると、赤外線バックフラッシュから光を照射させ、光が照射されたときのカメラで読み取った画像イメージに基づいて、読み取り対象被読取物の外形位置を判別し、その位置情報を記憶させる。
そして、その外形位置の情報および光照射のないときの画像イメージに基づいて、文字認識を行う画像イメージを切り出して、文字認識を行うようになっている。
【０００６】
また、特許文献４記載のイメージ読取装置では、正面の側面に台および被読取物を挿入するための挿入口が設けられ、その内部には、挿入口内に挿入された被読取物上のイメージを読み取るためのイメージスキャナが搭載されている。
イメージ読取装置は、挿入口内に挿入された被読取物を検出すると、イメージスキャナによる被読取物のスキャンを行い、そのイメージを自動的に読み取るようになっている。
【０００７】
【特許文献１】特許第2789482号公報
【特許文献２】登録実用新案第3021555号公報
【特許文献３】特開平9ー305705号公報
【特許文献４】特開2002ー325163号公報
【発明の開示】
【発明が解決しようとする課題】
【０００８】
しかしながら、特許文献１記載の例では、文字認識装置を用いて機械的に読み取った旅券に記載された文字情報を、コンピュータにあらかじめ格納されている情報と自動的に照合するものであるため、旅券の外形位置を正確に確認することができず、より正確な読み取りを可能にするためには改善の余地がある。
【０００９】
また、特許文献２記載の例では、旅券が所定位置に挿入されると検出センサが検知し、ソレノイドリレーの作動により押圧用プレートが旅券を押圧し、透明ガラス面に旅券を押圧し、密接させるようになっているが、旅券の挿入とともに自動的に読取開始ができるようになっていない。
【００１０】
さらに、特許文献３記載の例では、MRP被読取物の画像データ取得をMRP被読取物の状態により自動的に取得するようにするため、MRP被読取物の外形画像の角度認知による折り曲げ角度と時間制御により自動的にMRP被読取物読み取り起動を行っているが、MRP被読取物の外形画像の角度認知に失敗の可能性もある。
【００１１】
また、特許文献４記載の例では、二個の被読取物検出センサが共に被読取物の挿入を検出した場合にのみ、つまり、挿入された被読取物が斜行していない場合のみ、自動的にイメージの読み取りを行うようになっている。
ところが、二個の被読取物検出センサは一方向に離間させて配置されているだけであり、しかも検出センサ位置方向の変更ができないため、被読取物が斜行しているかどうかをより正確に判断したり操作性の向上を図るためには改善の余地がある。
【００１２】
さらに特許文献２や特許文献４記載の例では、イメージデータをスキャナで取り込むため、カメラ等で一瞬で取り込む場合に比べ走査時間が長くなってしまい、改善の余地がある。
【００１３】
本発明は、このような課題に鑑みてなされたものであり、被読取物の情報、被読取物の有無および外形位置を瞬時に正確、かつ、効率的に検知し、読取開始できる読取装置を提供することを目的とする。
【課題を解決するための手段】
【００１４】
上記目的を達成するために、本発明の読取装置は、画像読取装置と、画像読取装置が読み取った情報を処理するとともに画像読取装置を制御する画像データ処理装置とを備え、画像読取装置が、架台に設置されて被読取物を載置する載置台と、載置台に配設され被読取物を案内して位置決めをするガイドと、ガイドに備えられた発光装置と、載置台に載置された被読取物に光線を照射する照明装置と、被読取物の情報を読み取る撮像装置とを有しており、発光装置の発する光線が載置台を照射する定位置と、光線が被読取物を透過し読み取られた画像の輝度とに基づいて、被読取物が正規位置に置かれたことを検出し、この検出をトリガーとして画像読取装置が自動的に読取開始をする構成を有している。
このような構成により、本発明の読取装置では、被読取物の遮光により定位置の発光装置の透過画像の輝度を検出しているので、被読取物の外形位置と被読取物の存在を正確に検出できるとともに、自動読取開始ができる。
【００１５】
また、本発明の読取装置は、ガイドが、略Ｌ字型ガイドであって、Ｌ字の一辺の側部に沿って配設された複数の前記発光装置およびＬ字の隣合う二辺の各辺の側部に配設された少なくとも一個の前記発光装置のいずれかを有している構成としたものである。
このような構成により、本発明の読取装置では、少なくとも二カ所の発光装置の定位置を定めているので、被読取物が正規位置にあるかどうかを正確に特定できる。
【００１６】
さらに、本発明の読取装置は、ガイドが、載置台から着脱可能であり、かつ、載置台の各対角位置に設置可能である構成を有している。
このような構成により、本発明の読取装置では、被読取物をセットする操作者の位置に応じてガイドを設置できるので、操作性がよくなる。
【００１７】
本発明の読取装置では、ガイドの載置台側の側部が、テーパ状になっている。
このような構成により、本発明の読取装置では、ガイドに当てると被読取物の縁部を押さえることになるので、被読取物の浮き上がりを防止することができ、被読取物を載置台に密接させることができる。
【００１８】
本発明の読取装置は、照明装置が、被読取物の正規位置を検出後、読取開始前に、可視光線および赤外線のいずれかで自動的に照明開始する構成を有している。
このような構成により、本発明の読取装置では、被読取物を照射するので、被読取物の光学的情報を得ることができる。
【００１９】
本発明の読取装置は、撮像装置が、デジタルカメラ、ラインカメラ、エリアカメラおよびビデオカメラのいずれかである構成としたものである。
このような構成により、本発明の読取装置では、カメラを使用しているので、瞬時にまたは極めて短時間で画像を取得できる。
【００２０】
本発明の読取装置は、撮像装置が、角度調整および位置調整のいずれか、あるいは両方を調整する取付板に取り付けられている構成を有している。
このような構成により、本発明の読取装置では、撮像装置の位置および角度を容易に調整できるので、調整時間を短縮できる。
【００２１】
本発明の読取装置は、被読取物の光学的情報を持つ照射光が、一個の鏡および複数の鏡のいずれかにより撮像装置に集光されている構成を有している。
このような構成により、本発明の読取装置では、集光位置を設定できるので、撮像装置の位置を任意の所定位置に配置可能になり、装置全体を小型化できるようになる。
【００２２】
本発明の読取装置は、架台が凹部を有しており、この凹部の傾斜を利用して、撮像装置に集光する鏡が傾斜して備えられている構成を有している。
このような構成により、本発明の読取装置では、操作者の足下を広く確保できるので操作性がよく、また架台のスペース効率がよくなる。
【００２３】
本発明の読取装置は、被読取物が旅券である構成を有している。
被読取物が旅券の場合、本発明の読取装置では、旅券の顔写真と番号とを瞬時に正確に読み取り、かつ、認識できる。
【発明の効果】
【００２４】
本発明によれば、被読取物の情報、存在の有無および外形位置を瞬時に正確かつ効率的に読み取ることができるとともに、自動読取開始できるという効果を有する。
したがって、操作者の操作を簡略化できるとともに、操作性の向上により被読取物の読取失敗の可能性を低減できるようになる。
【発明を実施するための最良の形態】
【００２５】
本発明の読取装置では、画像読取装置と、この画像読取装置が読み取った情報を処理するとともに当該画像読取装置を制御する画像データ処理装置とを備える。
画像読取装置は、架台に設置されて被読取物を載置する載置台と、この載置台に配設され被読取物を案内して位置決めをするガイドと、このガイドに備えられた発光装置と、上記載置台に載置された上記被読取物に光線を照射する照明装置と、上記被読取物の情報を読み取る撮像装置とを有している。
【００２６】
被読取物は、旅券等の被読取物であり、光学的情報となりうるものであればよく、バーコードやIDカードでもよい。
【００２７】
載置台は、被読取物を載置する読取面に板状ガラスが配置されたガラス受台でよい。
また、ガイドは、被読取物の位置を決定し易いように、直角形状でＬ字型の当てガイドでよい。
【００２８】
さらにガイドに備えられた発光装置は発光ダイオード(以下、「LED」という)でよいが、これに限らず光源になりうるものであればよい。
【００２９】
また照明装置は可視光線、赤外線および紫外線等、用途に応じた各種の光を発する照明用光源となりうるものでよい。
撮像装置は、デジタルカメラ、エリアカメラ、ビデオカメラおよびラインカメラでよいが、これらに限らず画像を短時間で信号として取得可能なものであればよい。
【００３０】
以下、図１から図８に基づき、実質的に同一または対応する部材には同一符号を用いて、本発明による読取装置の好適な実施形態を詳細に説明する。
好適な実施形態に係る読取装置は、画像読取装置と、画像データ処理装置とを備える。
【００３１】
先ず、画像読取装置について説明する。
図１は本実施形態の画像読取装置の構成を示す外観構成図である。
図１を参照して、画像読取装置10は、旅券等の被読取物20を載置する読取面３板状ガラス)を持つガラス受台４と、このガラス受台４の二辺に脱着可能に設けられたＬ字型の当てガイド２と、読取面３にオートフォーカス可能なデジタルカメラ12とを有し、架台１の天面５にてガラス受台４が設置されている。
【００３２】
当てガイド２は、図１に示す位置ではなく、図１に示す位置の反対側の読取面３の対角位置にてガラス受台４上に着脱可能に構成されている。
このため旅券等の被読取物20をセットする操作者の位置に応じて当てガイド２を設置することができ、操作性が向上し便利である。
【００３３】
さらに当てガイド２には、読取面3側であってＬ字型の当てガイド２のＬ字の同一辺および他辺のいずれかの側部、あるいは両方に、被読取物20を検出するための光源として、所定間隔をあけて複数の検出用LED６が設けられている。
この検出用LED６は、当てガイド２の各辺の側部に少なくとも一つ設けられていてもよい。
【００３４】
なお、当てガイド２の一辺上面には、手動で読み取り可能にするための手動スイッチ25と、被読取物が所定位置に設置されていないことを示す異常ランプ６と、画像読取動作中であることを示す読取ランプ27とが設けられている。
【００３５】
このように配置された検出用LED６であれば、LEDの光線が旅券等の被読取物を透過して、検出用LED６が照射する定位置と輝度に基づいて、旅券等の被読取物20の有無および外形位置を正確に特定し、検出できる。
【００３６】
また、デジタルカメラに代えてラインセンサ(別名、ラインカメラ)またはエリアセンサ(別名、エリアカメラ)を使用してもよく、さらにビデオカメラでもよい。
デジタルカメラ、エリアカメラおよびビデオカメラは瞬時に画像データを得ることができる。
【００３７】
ラインカメラはスキャン時間が必要であるものの極めて短時間で画像データを得ることができ、高解像度が容易に実現できる。
【００３８】
架台1の前面パネル29は天面５より凹んだ位置に設けられており、人が被読取物を載置するとき、足下が広く操作し易いようになっている。
なお、15は電源ランプ、16は電源スイッチ、21は被読取物の挿入方向、28はヒューズを示す。
【００３９】
図２は被読取物を載置したときの一部断面図である。
図２を参照して、当てガイド２には、読取面３側にて、基板24に配設された検出用LED６の光を照射する窓22が設けられており、この窓22の前面は被読取物の浮き防止のためにテーパ部23としてテーパ状に形成されている。
図２に示す例では当てガイド２のＬ字の一辺にテーパ部を設けているが、両方の辺に設けてもよい。
【００４０】
この当てガイド２のテーパ部23では、旅券等の被読取物20を当てガイド２のＬ字型二辺に当てて揃えて押しつけると、旅券等の被読取物20が挿入方向21に浮き上がらず挿入可能になっている。
【００４１】
図３は画像読取装置の上面一部透視図であり、図４は画像読取装置の正面内部を示す概略一部断面図であり、図５は画像読取装置の右側面内部を示す概略図である。
【００４２】
図３および図４を参照して、画像読取装置10は、旅券等の被読取物20が載置された読取面３を照射する照明装置32を備えており、この照明装置32は、水案内板31と隔壁35とにより、デジタルカメラ12と隔離されて配置されている。
【００４３】
また照明装置32は、可視光線および赤外線のいずれかを事前に手動で選択して照射可能になっている。
なお、用途に応じて他の光線、例えば紫外線等を使用可能にしてもよい。
【００４４】
図４および図５を参照して、画像読取装置10は、さらに、カメラ基台37に固定されたデジタルカメラ12と、このカメラ基台37の位置角度を調整する略凹字型のカメラ角度調整取付板33と、第１ミラー34と、第２ミラー36と、インターフェース制御装置30とを備えている。
なお、図４および図５中の38は机、17は照射光を示す。
【００４５】
照明装置32の照射光は、旅券等の被読取物20が載置された読取面３で反射した後、第２ミラー36に入射後反射し、さらに第１ミラー34に入射後反射して、水案内板31の貫通孔39を通って、デジタルカメラ12に集光するようになっている。
【００４６】
このようにミラーを設けることにより、取り付けるカメラの位置を任意の所定位置に配設可能になり、装置全体を小型化できる。
また架台１の前面パネル29の凹部を利用して第２ミラー36を傾斜させて配設可能なので、架台１のスペース効率がよくなる。
【００４７】
カメラ基台37は、水平に固定されている、例えば断面が略凹字型のカメラ角度調整取付板33に対して、その位置角度を調節でき、所定位置角度に設定したとき、固定具で、具体的には複数の調節ねじ42で固定するようになっている。
【００４８】
このような取付板33にて調節ねじ42で固定する箇所が水平方向に長穴で形成されていれば、水平方向についても位置調整可能である。
この略凹字型カメラ角度調整取付板33は、内部を配線が通るＵ字管41でインターフェース制御装置30の筐体に固定されている。
【００４９】
インターフェース制御装置30は、後述するコンピュータの指令に基づいて、所定タイミングで、被読取物検出用LED６の点灯制御、照明装置32の照明制御およびデジタルカメラ12の画像入力制御をするものである。
【００５０】
次に、画像データ処理装置について説明する。
図６は本実施形態に係る読取装置の機能ブロック図である。
図６を参照して、画像データ処理装置60は、画像データ処理部50に相当する文字および画像認識プログラムを内蔵したコンピュータ(図示せず)と、処理された文字および画像を表示する端末装置64と、格納されている照合情報と処理された文字情報または画像情報とを照合し、照合結果をIF部59に送信して端末装置64に出力する中央処理装置66とを備える。
【００５１】
画像データ処理部50は、撮像制御部52と、スーパインポーズ部54と、画像の認識処理と出力制御をする画像出力制御部56と、文字の認識処理をする文字読取処理部58と、文字情報および画像情報の入出力制御するIF部59とを備える。
【００５２】
文字認識プログラムを内蔵したコンピュータは、汎用のコンピュータでも、マイクロプロセッサを搭載した専用ボードでもよい。
【００５３】
なお、図６に示すように、画像読取装置10は、インターフェース制御装置30と、メモリ51と、検出用LED６と、照明装置32と、デジタルカメラ12とを備えている。
【００５４】
次に本実施形態に係る読取装置の動作について説明する。
図７は読取装置のフローチャートである。
図６および図７を参照して、読取装置70は、先ず、画像読取装置10および画像データ処理装置60の電源がオンすると各装置の初期設定をし、インターフェース制御部30は点灯制御部、照明制御部および画像入力制御部に指令信号を送信し、被読取物検出用LED6が常時またはカメラ画像入力期間に点灯し、照明装置32は発光待ち状態に、デジタルカメラ12は撮影待ち状態に入る。
【００５５】
このとき照明装置32の光源として可視光線および赤外光線のいずれかを手動スイッチで選択しておく(ステップS1)。
【００５６】
次に、撮像制御部52は、インターフェース制御部30に制御信号を送信し、この制御信号に基づいてインターフェース制御部30は、所定周期に照明未発光状態でデジタルカメラ12から読み込んだ画像データをメモリ51に格納し、撮像制御部52はこの画像データにアドレス指定をしてメモリ53に格納する(ステップS2)。
【００５７】
撮像制御部52は、入力した画像データから、所定位置に取り付けられた被読取物検出用LED6の位置に基づいてアドレス指定した画像データの輝度(以下、「被読取物検出用LEDアドレスの輝度」という)が所定値以下であれば、検出用LED６の光線が被読取物により遮光されたと判定し、全ての被読取物検出用LEDアドレスの輝度が所定値以下であれば、被読取物が正規の位置にセットされたものと判定する(ステップS3)。
【００５８】
そして、撮像制御部52は、所定周期信号とともにインターフェース制御部30に制御信号を送信し、照明装置32を発光状態にする(ステップS4)。このとき、インターフェース制御部30は、照明発光状態でデジタルカメラ12から読み込んだ画像データをメモリ51に格納し、撮像制御部52はこの画像データにアドレス指定してメモリ53に格納し、このアドレス指定した画像データを画像出力制御部56および文字読取処理部58に入力する(ステップS5)。
【００５９】
文字読取処理部58は、アドレス指定した画像データを二値化処理して文字ブロックを切り出し、この文字ブロック部分に対応するアドレス指定した階調画像データを、多値の文字ブロック部分の画像データとしてメモリ(図示せず)に格納し、文字読取処理をする(ステップS6)。
【００６０】
そして、メモリに格納した多値の文字ブロック部分の画像データを、二値化処理して文字を切り出し、切り出した文字を正規化した文字パターンを認識辞書および単語辞書と照合して文字認識処理をし(ステップS7)、その読取結果をIF部59のメモリバッファに出力する(ステップS8)。
【００６１】
中央処理装置66はIF部59から送信してきた文字情報を格納し、あらかじめ格納されている照合情報と照合し、照合結果をIF部59を通じて端末装置64に出力する。
端末装置64は文字および画像のいずれか、あるいは両方を表示する。
なお、画像データがアナログ信号の場合はA/D変換して同様に処理可能である。
【００６２】
次に、撮像装置の位置調整および画角調整について説明する。
図８は位置調整および画角調整の機能ブロック図である。
上記の被読取物検出用LED６は、デジタルカメラ12の位置調整および画角調整に使用できる。
【００６３】
図８を参照して、先ず、照明未発光状態で複数の検出用LED６を点灯し、所定周期のリアルタイムのデジタルカメラ12の画像をスーパインポーズ部54に入力する。
スーパインポーズ部54は、リアルタイムで入力された画像に同期して、撮像制御部で処理された定位置の検出用LEDのアドレスおよび輝度に基づくLED点灯画像を切り抜いて格子状ガイド表示とともに出力し、端末装置64に表示する。
【００６４】
端末装置64に表示されているリアルタイムの検出用LED６の点灯画像が、切り抜かれて表示されているLED点灯画像に重なるように、調節ねじ42でカメラ基台37の位置および画角を調整をする。
なお、図８中、71は検出用LEDの光線を示し、72は切り抜かれて表示されているLED点灯画像を示す。
【００６５】
このように、本実施形態に係るデジタルカメラ12の位置調整および画角調整では、定位置の検出用LEDの点灯画像データに基づいているので、正確な位置および画角調整を容易に行うことができる。
したがって位置調整および画角調整の時間が短縮可能になる。
【００６６】
このように上記実施形態では、定位置の検出用LEDのアドレスと輝度に基づいて、被読取物の有無および被読取物が正規の位置にセットされているかどうかを検出し、この検出をトリガーとして自動読取を開始し、画像データをデジタルカメラで瞬時に読み取り、この読み取った画像データを処理して画像情報および文字情報を認識し、あらかじめ格納されている照合情報と照合し、照合結果を出力する。
【００６７】
したがって本実施形態では、検出用LEDの遮光に基づいて自動読取を開始できるとともに、被読取物の外形位置を正確に確認できる。
【００６８】
さらに、本実施形態では、リアルタイムの検出用LEDの点灯画像と、定位置の検出用LEDのアドレスおよび輝度に基づくLED点灯画像とのスーパインポーズにより、デジタルカメラの位置調整および画角調整をできる。
【００６９】
以上に説明した実施形態は、本発明の技術的思想に基づいて種々に変形が可能である。
【産業上の利用可能性】
【００７０】
以上のように、本発明に係る読取装置は、被読取物の情報、存在の有無および外形位置を瞬時に正確かつ効率的に読み取ることができる等の効果を有し、画像および文字認識装置として極めて有用である。
【図面の簡単な説明】
【００７１】
【図１】本実施形態の画像読取装置の構成を示す外観構成図である。
【図２】被読取物を載置したときの一部断面図である。
【図３】画像読取装置の上面一部透視図である。
【図４】画像読取装置の正面内部を示す概略一部断面図である。
【図５】画像読取装置の右側面内部を示す概略図である。
【図６】本実施形態に係る読取装置の機能ブロック図である。
【図７】読取装置のフローチャートである。
【図８】撮像装置の位置調整および画角調整の機能ブロック図である。
【符号の説明】
【００７２】
１  架台
２  当てガイド
３  読取面
４  ガラス受台
５  天面
６  検出用LED
10  画像読取装置
12  デジタルカメラ
15  電源ランプ
16  電源スイッチ
20  被読取物
21  被読取物挿入方向
22  窓
23  テーパ部
24  基板
25  手動スイッチ
26  異常ランプ
27  読取ランプ
28  ヒューズ
29  前面パネル
30  インターフェース制御装置
31  水案内板
32  照明装置
33  取付板
34  第１ミラー
36  第２ミラー
35  隔壁
37  カメラ基台
38  机
39  貫通孔
41  Ｕ字管
42  調節ねじ
50  画像データ処理部
51、53  メモリ
52  撮像制御部
54  スーパインポーズ部
56  画像出力制御部
58  文字読取処理部
59  IF部
60  画像データ処理装置
64  端末装置
66  中央処理装置
【図１】
2006146328.tif 000003
【図２】
2006146328.tif 000004
【図３】
2006146328.tif 000005
【図４】
2006146328.tif 000006
【図５】
2006146328.tif 000007
【図６】
2006146328.tif 000008
【図７】
2006146328.tif 000009
【図８】
2006146328.tif 000010